(57)【要約】【課題】  簡単で施工性にすぐれ、仕上がりの良い軽量気泡コンクリートパネルからなる床や屋根パネルの固定構造を提供することである。【解決手段】  同一径のパネル貫通穴にパネル固定部を有するナットを軽量気泡コンクリートパネル表面と同一になるように押圧し、ボルトによって取付部材に係止させて固定する。【選択図】  図１
2005076289.tif 000002
【特許請求の範囲】
【請求項１】
軽量気泡コンクリートパネルを取付部材上に敷設して該取付部材に固定する固定構造において、軽量気泡コンクリートパネルに上下方向に同一径で貫通するパネル固定用孔が形成され、該パネル固定用孔の上方からナットの外径より広く形成したパネル固定部を有するナットを該軽量気泡コンクリートパネルの上方が平滑になるように押圧し、該ナットに下方よりボルトを螺合して、該取付部材に軽量気泡コンクリートパネルを固定してなることを特徴とするパネル固定構造。
【請求項２】
ナットのパネル固定部または側面にボルトを締め付ける時にナットが回転するのを防止するための回り止め用の凸部を突設させてなることを特徴とする請求項１記載のパネル固定構造。
【発明の詳細な説明】
【技術分野】
【０００１】
本発明は、特に軽量気泡コンクリート（ＡＬＣ）パネルからなる床や屋根パネルの固定構造に関するものである。
【背景技術】
【０００２】
従来、軽量気泡コンクリート（ＡＬＣ）パネルからなる床や屋根パネルを固定するには次のような方法や提案がなされている。
軽量気泡コンクリート（ＡＬＣ）パネルからなる床や屋根パネルを固定する第１の従来例は、ＡＬＣパネルの所定位置に開けた貫通孔およびこれに連通しこれよりも大きい収容孔を形成し、貫通孔の下方よりフックボルトの雄ねじがある一端側を挿通し、上方の収容孔に座金を入れ、ナットを該フックボルトの雄ねじに螺合させ、ついで該フックボルトをＨ形鉄骨梁に溶接固定する方法であり、第２の従来例として、第１例と同様に貫通孔およびこれに連通しこれよりも大きい収容孔を形成し、上方の収容孔に座金とナットを入れ、下方より取付金具を介して貫通孔にボルトを挿通しナットと螺合させてＨ形鉄骨梁に固定する方法がある。（例えば、特許文献１参照）
【０００３】
また、第３の従来例としては、特開２０００―２７３９９６号に提案されている取付金具用切り込み部と取付ネジ用孔とを、ＡＬＣパネルに予め設け、Ｈ形鉄骨梁の上部フランジ部に嵌合された取付金具の平板部にＡＬＣパネルの切り込み部をはめ込み、ＡＬＣパネル表面側の取付ネジ用孔から取付金具の平板部にネジを打ち込み固定する方法である。（特許文献２参照）
【０００４】
【特許文献１】特許第２８３５４８５号公報
【特許文献２】特開２０００―２７３９９６号公報
【発明の開示】
【発明が解決しようとする課題】
【０００５】
しかしながら、前述の第１や第２の従来例では、貫通孔およびこれに連通しこれよりも大きい収容孔を形成しするための専用のドリルの刃を必要とし、さらに穴開けによる切削粉が多量に発生する。また、ナットを回して締め付ける時に、フックボルトやボルトが回転してしまい、円滑な締め付けが出来ないため、下方の掛止部側にも作業者が配置され、手や工具によって押さえながら、上方の作業者がナットを締め付ける２人での作業となるのみならず、上方の収容孔が空いたままでは外観が悪く、また防水などのパネル仕上げのためには、収容孔をモルタルなどで埋め戻して平滑にする必要があった。
【０００６】
また、第３の従来例では、予めＡＬＣパネル裏面側の取付金具用切り込み部を形成する必要があり、加工が複雑で切削粉も多く発生する。また、ビス（ネジ）による取付が前提となり、通常は５〜６φのビスを用いるため耐火性能やビスの脆性破壊による耐久性、またビスと取付金物との螺合の取付強度や耐久性に問題が生ずる恐れがある。また、ビスは通常電動ドリルで締め付けるが、ビス頭が小さく締め付けトルクが高いと、ビスの頭がＡＬＣの内部に沈んでしまい穴が空き、また耐火性や取付強度を上げるためビスの径を太くすればビスが取付金物を貫通出来ず、ビス頭を大きくすると、電動ドリルのトルクを更に大きくしなければ平滑になるまで沈みこまないなどの問題もあった。
【０００７】
本発明は、上記問題点に鑑みてなされたもので、梁などの取付部材に少ない部材数で簡単に、しかも固定強度を上げることができ、さらに平滑な仕上がりとすることができるＡＬＣパネルからなる床や屋根パネルの固定構造を提供することである。
【課題を解決するための手段】
【０００８】
上記課題を解決するために検討の結果、ナットの外径より広く形成したパネル固定部をナットに設けることが有効な手段であることを見出し、これに基づき、完成されたもので、次の通りである。
請求項１記載の軽量気泡コンクリートパネルを取付部材上に敷設して該取付部材に固定する固定構造において、軽量気泡コンクリートパネルに上下方向に同一径で貫通するパネル固定用孔が形成され、該パネル固定用孔の上方からナットの外径より広く形成したパネル固定部を有するナットを該軽量気泡コンクリートパネルの上方が平滑になるように押圧し、該ナットに下方よりボルトを螺合して、該取付部材に軽量気泡コンクリートパネルを固定してなることを特徴とするパネル固定構造。
【０００９】
請求項２記載のナットのパネル固定部または側面に、ボルトを締め付ける時にナットが回転するのを防止するための回り止め用の凸部を突設させてなることを特徴とする請求項１記載のパネル固定構造。
上記構成により、同一径の貫通したパネル固定用孔だけでパネルの加工を終えることができるので、加工の簡略化と加工したときの切削粉を減少させることが出来る。
またパネル固定用孔の上方からナットの外径より広く形成したパネル固定部を有するナットをパネルの上方が平滑になるように押圧することで、パネルが圧縮され、密度が上がるため固定強度が高まる。また、同時にナットのパネル固定部とパネル表面との摩擦力も高まり、下方よりボルトを締め付ける時の回転を防止することが出来る。パネル固定用孔より少し大きい径のナットを押圧した場合は、側面とパネル固定用孔とにも摩擦力が発生し、下方よりボルトを締め付ける時の回転をさらに防止することが出来る。
【００１０】
また前記ナットのパネル固定部をパネルの表面とが面一となるように押圧するのでパネルの表面を補修する必要がなく、施工工程を削減して工期を短縮できる。
また上記パネル固定部を有するナットのパネル固定部または側面に、ボルトを締め付ける時にナットが回転するのを防止するための回り止め用の凸部を突設させた場合、凸部がパネルに食い込んで機械的に係合し、ボルトを締め付けるときの回転を防止することが出来る。
【発明の効果】
【００１１】
本発明は、上述の如く構成したので、パネル固定部を有するナットを押圧する事により、平滑な床面とする事ができ、埋め戻しや補修が不要となる。またパネル固定用孔の上方からナットの外径より広く形成したパネル固定部を有するナットをパネルの上方が平滑になるように押圧することで、パネルが圧縮され、密度が上がるため固定強度が高まる。さらに、下方よりボルト締め付ける場合、摩擦により回転の防止効果があり作業性が向上する。
ナットのパネル固定部または側面に、ボルトを締め付ける時にナットが回転するのを防止するための回り止め用の凸部を突設させた場合、凸部がパネルに機械的に係合し安定してボルトを締め付けるときの回転を防止することが出来る。
【発明を実施するための最良の形態】
【００１２】
本発明の実施形態を図１から図２により、具体的に説明する。図１は、本発明の第１の実施例に係るパネル固定構造の斜視図を示す。図２は第１の実施例に係るパネル固定構造の断面を示す説明図である。
次に図１、図２に示した説明図を使用し、ＡＬＣパネルを床版として取り付ける場合を例にあげ、ＡＬＣパネルの固定構造について説明する。図１に示す本発明の第１の実施例においてパネル固定用孔１が、ＡＬＣパネルの長さ方向の両端部で所定位置に例えば１５φの同一径で貫通して穿設されている。一方、ナット２は、ナットの外径より広く形成したパネル固定部３を有し、円形でパネル固定用孔より小さい外径である。また、ナット２は、略円錐形で挿入の先端が約１３φ、パネル固定部側が約１６ｍｍで固定部の裏面には凸部４を２ヶ所設け、固定部側のボルト穴は無い形状とした。また、長さが３５ｍｍの内部にＭ１０のボルトが螺合できる加工を施し、ナットの上方にナット径より５ｍｍ広く厚さ２ｍｍのパネル固定部を形成した。このナット２を取付部材のＨ形鉄骨梁７の上部に敷設したＡＬＣパネルの固定用孔１の上方より挿入し、パネル固定部３の上面がパネルの表面と同一になるまで金槌等を用いて押圧し、次いで下方よりボルト５を略Ｚ型の取付金具６を介してナット２に螺合して、ＡＬＣパネルを取付部材のＨ形鉄骨梁に固定して作業は完了する。
【００１３】
ここで、ナットは円形でも六角形などの多角形でも良いが、パネル固定用孔より小さい径であればスムーズに挿入する事が出来、取付部の位置を微調整する事が出来る。逆に、ナット径がパネル固定用孔より大きい場合は、挿入するときに圧力が必要になるが、側面とパネル固定用孔内部で摩擦力が発生して、ボルトを締め付ける時の回転防止になる。また、パネル固定部側がパネル固定用穴より大きく、他方が小さい略円錐の形状となっていれば、より少ない圧力で挿入でき、回転防止機構も備わるので好ましい。また、ナットが多角形でパネル固定用孔より大きい場合と同様に、円形の側面にパネル固定用孔より高くなるように凸部を形成した場合も側面とパネル固定用孔内部で機械的な摩擦力が発生して、ボルトを締め付ける時の回転防止になる。また、パネル固定部の外側や裏面に、パネルの表面側方向に凸部を形成した場合、凸部がパネルの表面に食い込み、機械的に回転防止機構が備わる。パネル固定用孔がボルト径より大きい場合は、固定位置の微調整も出来、好ましい。また、ナットのパネル固定部側のボルト穴を塞いだ場合は、穴が無くなり、外観上も好ましい。
【００１４】
ナットのパネル固定部は、パネルを固定する必要強度を確保出来れば、円形でも多角形でも良く、固定部の直径として１０φ、厚さは０．８ｍｍ程度以上の任意とすることが出来る。一方、ナットの長さは、軽量気泡コンクリートパネルの厚さより若干短い程度であれば、ボルトの長さも短くてすむ。しかし、極端に短い場合は、ボルトの長さが長くなるばかりか、精度の問題も重なり、パネル上方にボルトが飛び出す恐れがあり、好ましくない。通常のＡＬＣパネルの厚さは７５ｍｍ〜１７５ｍｍであるが、薄物い製品は３５ｍｍ程度からあるため、以上の点を考慮すると、ナットの長さは２５ｍｍ〜５０ｍｍ程度が最適値となる。ボルトの径は耐火性能を考慮すると、Ｍ１０〜Ｍ１２程度となるが、強度上はＭ５〜Ｍ２０程度も選択する事ができる。
【００１５】
また、取付部材の梁はパネル取付金具６の掛止部が掛止できるものであれば、Ｈ型鋼のみならず、アングルや溝型鋼など、他の部材であってもよい。なお、取付部材の梁に穴開け加工するなどして、直接ボルト止めしても良い。
また、水平の床や屋根面のみならず、斜めの勾配屋根へＡＬＣパネルを取り付ける場合にも使用することができる。
【産業上の利用可能性】
【００１６】
本発明は、軽量気泡コンクリート（ＡＬＣ）パネルなどからなる床や屋根パネルの固定構造として好適に利用できる。
【図面の簡単な説明】
【００１７】
【図１】本発明の第１の実施例に係るパネル固定構造の斜視図である。
【図２】本発明の第１の実施例に係るパネル固定構造の断面を示す説明図である。
【符号の説明】
【００１８】
１  パネル固定用孔
２  ナット
３  パネル固定部
４  凸部
５  ボルト
６  取付金具
７  Ｈ形鉄骨梁
【図１】
2005076289.tif 000003
【図２】
2005076289.tif 000004